(57)【要約】【課題】衣服のサイズ調整用の延長具において、生地本体に伸縮性を持たせることにより、さらなる延長を可能とする。【解決手段】  伸縮性のある生地本体（１１）に対して、その本体片面の生地端部にホック（１２）を取り付け、他面の生地端部にバー（１３）を取り付けたことを特徴とする衣服のウエストサイズ調整具（１）。前記ホック（１２）及びバー（１３）がそれぞれ金属製の裏当て材（１４，１５）により支持補強されていることが好ましい。【選択図】図１
0003128333.tif 000002
【実用新案登録請求の範囲】
【請求項１】
伸縮性のある生地本体（１１）に対して、その本体片面の生地端部にホック（１２）を取り付け、他面の生地端部にバー（１３）を取り付けたことを特徴とする衣服のウエストサイズ調整具（１）。
【請求項２】
伸縮性のある生地本体（１１）に対して、その本体片面の生地端部にホック（１２）を取り付け、他面の生地端部にバー（１３）を取り付けたものにおいて、前記ホック（１２）及びバー（１３）がそれぞれ金属製の裏当て材（１４，１５）により支持補強されていることを特徴とする衣服のウエストサイズ調整具（１）。
【請求項３】
伸縮性のある生地本体（２１）に対して、その本体片面の生地端部にボタン（２２）を取り付け、生地他端にボタン穴（２３）を設けたことを特徴とする衣服のウエストサイズ調整具（２０）。
【請求項４】
伸縮性のある生地本体（２１）に対して、その本体片面の生地端部にボタン（２２）を取り付け、生地他端にボタン穴（２３）を設けたものにおいて、前記ボタン穴（２３）の周囲及び長手方向中央線（２４）は、かがり糸で補強されており、その補強糸で強化された生地本体（２１）に対して前記ボタン（２３）が糸で固定されていることを特徴とする衣服のウエストサイズ調整具（２０）。
【請求項５】
請求項１及び請求項３のウエストサイズ調整具（１，２０）を併用したことを特徴とする衣服のウエストサイズ調整具。
【考案の詳細な説明】
【技術分野】
【０００１】
本考案は、体型変化がズボンやスカート等の衣類に及ぼす影響を緩和するウエストサイズの調整具に関する。
【背景技術】
【０００２】
長期間にわたる体型変化は、胴回りの締まり過ぎ又は弛み過ぎとして現れ、着用者に不快感を与える。これを避けるため、ズボンやスカートでは、腰回りに伸縮性を付与する目的で、ゴム等の弾性体を組み込んだり、スプリングを内蔵して伸縮させ、調整機能を付与した鉤ホックを使用することがある。
【０００３】
スプリングを内蔵した鉤ホックの先行技術として、例えば下記特許文献１，２がある。両先願に示されるは鉤ホックは、構成材の鉤ホック主体と鉤ホック基体とが圧縮スプリングを介して接続され、鉤ホック主体が鉤ホック基体上を圧縮スプリングの力でスライドするため、微調整が可能である。
【０００４】
別の従来技術として、例えば下記特許文献３，４がある。これらによると、衣服のポケットを上端まで切開して、重複する外側腰回り部と内側腰回り部を形成し、外側腰回り部の外面に突条を有するレールと、このレールが挿通され突条と係止するように外側腰回り部に付設されたスライダーとを設けている。
【０００５】
さらに別の従来技術として、下記特許文献５に示すように、胴回りの締まり過ぎに対応するため、独立した延長具を衣服に取り付けたものがある。
【特許文献１】特開２０００−５０９１３号
【特許文献２】特開２００１−８７０１０号
【特許文献３】実公平６−１３２１１号
【特許文献４】特開２００４−９７６２１
【特許文献５】実開平４−１０１６１３号
【考案の開示】
【考案が解決しようとする課題】
【０００６】
特許文献５の延長具は、なるべく衣服の生地に近い材質及び色彩の布片からなる本体と、係止用のバックル及び係止金具からなる。この本体布片が衣服の腰回りに後付けされるので、確かにその分だけ衣服のウエストサイズが延長されるが、物理的にそれ以上は無理である。
【０００７】
このような延長具を使用している人が、例えば食事をして一時的にさらに胴回りが増加すると、もはやこの延長具では対応しきれない。本考案は、このようなときに、さらなる延長を可能とするような衣服のウエストサイズ調整具を提供することを目的とする。
【課題を解決するための手段】
【０００８】
請求項１に係る衣服のウエストサイズ調整具は、伸縮性のある生地本体に対して、その本体片面の生地端部にホックを取り付け、他面の生地端部にバーを取り付けたことを特徴とする。
【０００９】
請求項２に係る衣服のウエストサイズ調整具は、伸縮性のある生地本体に対して、その本体片面の生地端部にホックを取り付け、他面の生地端部にバーを取り付けたものにおいて、前記ホック及びバーがそれぞれ金属製の裏当て材により支持補強されていることを特徴とする。
【００１０】
請求項３に係る衣服のウエストサイズ調整具は、伸縮性のある生地本体に対して、その本体片面の生地端部にボタンを取り付け、生地他端にボタン穴を設けたことを特徴とする。
【００１１】
請求項４に係る衣服のウエストサイズ調整具は、伸縮性のある生地本体に対して、その本体片面の生地端部にボタンを取り付け、生地他端にボタン穴を設けたものにおいて、前記ボタン穴の周囲及び長手方向中央線は、かがり糸で補強されており、その補強糸で強化された生地本体に対して前記ボタンがしっかりと糸で固定されていることを特徴とする。
【００１２】
請求項５に係る衣服のウエストサイズ調整具は、請求項１及び請求項３のウエストサイズ調整具を併用したことを特徴とする。
【考案の効果】
【００１３】
本考案は、本体生地に伸縮布片を使用したので、従来の延長具では対応しきれないが、実際に必要とされる衣服のウエストサイズのさらなる延長を可能とすることができる。本考案によれば、使う伸縮布片の種類にもよるが、元の延長具の長さの１．５〜２．５倍に延長される。
【００１４】
また、本考案では、フックやバーのような係合具に金属製の裏当て材を取り付けたので、伸縮性のある生地に対しても抜け落ちることなく、しっかりと固定することができる。また、ボタンについても伸縮性のある生地にかがり糸で補強した後で取り付けるので、抜け落ちることなく、しっかりと固定することができる。
【考案を実施するための最良の形態】
【００１５】
延長具は、通常、長方形の布片であり、幅２．０〜３．０ｃｍ、長さ３．０〜６．０ｃｍ程度である。
【００１６】
本考案で使用する伸縮性のある生地としては、一般に市販されているゴムバンドが好ましい。伸びた状態では、元の長さの１．５〜２．５倍程度あることが好ましい。
【実施例１】
【００１７】
図１及び２は、本考案第１実施例にかかる調整具１の使用状態を示す斜視図であり、ズボンの外側から開口部を見ている。図１は調整具１の着用前、図２は着用後である。
【００１８】
周知のように、ズボン本体２の上端がウエストバンド３であり、このウエストバンドの両端にホック４（前カン）とバー５からなる一対の連結具が設けられている。ズボンの開口部にはファスナ７が取り付けられている。このファスナ７を取り付けるため、持ち出し布８が設定されている。
【００１９】
本考案第１実施例の延長具は、図１，２図に示すように、長方形の丈夫な布片１１であり、片面の生地端部に金属製ホック１２を取り付け、他面の生地端部に金属製バー１３を取り付けている。脱落が起きないようにそれぞれの裏側から金属製裏当て材でしっかりと固定している。ここで延長具の材質は、伸縮性のあるゴムバンドである。
【００２０】
図３はホック１２とバー１３の構造を示しており、（ｂ）は着用者の外側から見た正面図、（ｄ）背面図、（ａ）（ｃ）は、それぞれ左正面図、右正面図、（ｅ）は平面図、（ｆ）は横断面図である。
【００２１】
ホック１２の構造を図４に示す。（a）は正面図、（ｂ）は背面図、（ｃ）は底面図、（ｄ）は左側面図、（ｅ）は右側面図、（ｆ）は横断面図である。ホック１２は、１枚の金属板を切断及び曲げ加工してなり、先端に舌状の係合部１２１を有し、後端１２２に左右壁１２３から突出する４本の爪１２４を有する。
【００２２】
ホック１２の裏当て材１４の構造を図５に示す。（a）は正面図、（ｂ）は背面図、（ｃ）は底面図、（ｄ）は左側面図、（ｅ）は右側面図、（ｆ）は横断面図である。裏当て材１４は、１枚の金属板を切断及び曲げ加工してなり、左右２本の自由端部１４１と中央の巻き込み閉鎖部１４２からなる。
【００２３】
ホック１２と裏当て材１４とを結合するには、４本の爪１２４を閉鎖部１４２の中に差し入れる。自由端部１４１は、生地近くまで押し下げられることにより係合部が露出するのを防いでいる。
【００２４】
バー１３の構造を図６に示す。（a）は底面図、（ｂ）は正面図、（ｃ）は平面図、（ｄ）は左側面図、（ｅ）は横断面図である。バー１３は、１枚の金属板を切断及び曲げ加工してなり、中央の係合部１３１と、左右の壁１３２と、壁１３２から伸びる爪部１３３からなる。
【００２５】
バーの裏当て材１５の構造を図７に示す。（a）は底面図、（ｂ）は正面図、（ｃ）は平面図、（ｄ）は左側面図、（ｅ）は横断面図である。裏当て材１５は、１枚の金属板を切断及び曲げ加工してなり、左右の自由端部１５１と中央の巻き込み閉鎖部１５２からなる。
【００２６】
バー１３と裏当て材１５とを結合するには、２本の爪１３３を閉鎖部１５２の中に差し入れる。自由端部１５１は、生地近くまで押し下げられることにより係合部が露出するのを防いでいる。
【００２７】
この延長具１をズボンに取り付けるには、図１に示すように、本来のホック４に延長具のバー１３を係合させるだけでよい。本来のホック４はもはや開口部の連結には使用できなくなっているが、延長具のホック１２がその役割を果たし、本来のバー５と連結可能である。この延長具１が本来のホック４とバー５の間を介在するので、延長具１の分だけズボンのウエストサイズが延長される。しかも、本実施例の延長具はゴムバンドからなるので、それ自身も延長可能であり、二重の延長効果が得られる。
【実施例２】
【００２８】
図８及び９は、本考案第２実施例にかかる調整具２０の使用状態を示す斜視図であり、ズボンの外側から開口部を見ている。図８は調整具２０の着用前、図９は着用後である。
【００２９】
ウエストバンド３の一端にはボタン穴１０が形成され、ウエストバンドの他端にはボタン６が取り付けられている。着用時にはウエストバンドのボタン６をボタン穴１０に通して、開口部の連結を確かなものとしている。
【００３０】
本考案第２実施例の延長具は、図１０各図に示すように、長方形の丈夫な布片２１であり、片面の生地端部にボタン２２を取り付け、生地の他端にボタン穴２３を設けている。延長具２０のボタン穴２３の周囲及び長手方向中央線２４は、かがり糸で補強されており、その補強糸で強化された延長具の布片２１に対してボタン２２がしっかりと糸で固定されている。ここで延長具の材質は、伸縮性のあるゴムバンドである。
【００３１】
この延長具２０をズボンに取り付けるには、延長具のボタン穴２３に本来のボタン６を通して係合させるだけでよい。本来のボタン６はもはや開口部の連結には使用できなくなっているが、延長具のボタン２２がその役割を果たし、本来のボタン穴１０と連結可能である。この延長具２０が本来のボタン６とボタン穴１０の間を介在するので、延長具２０の分だけズボンのウエストサイズが延長される。しかも、本実施例の延長具はゴムバンドからなるので、それ自身も延長可能であり、二重の延長効果が得られる。
【００３２】
実施例１と２の延長具はそれぞれ単独で使用するが、両方併せて使用することもできる。
【図面の簡単な説明】
【００３３】
【図１】本考案第１実施例にかかる調整具１の使用状態を示す斜視図であり、調整具２０の着用前である。
【図２】本考案第１実施例にかかる調整具１の使用状態を示す斜視図であり、調整具２０の着用後である。
【図３】ホック１２とバー１３の構造を示しており、（ｂ）は着用者の外側から見た正面図、（ｄ）背面図、（ａ）（ｃ）は、それぞれ左正面図、右正面図、（ｅ）は平面図、（ｆ）は横断面図である。
【図４】ホック１２の構造を示す。（a）は正面図、（ｂ）は背面図、（ｃ）は底面図、（ｄ）は左側面図、（ｅ）は右側面図、（ｆ）は横断面図である。
【図５】ホック１２の裏当て材１４の構造を示す。（a）は正面図、（ｂ）は背面図、（ｃ）は底面図、（ｄ）は左側面図、（ｅ）は右側面図、（ｆ）は横断面図である。
【図６】バー１３の構造を示す。（a）は底面図、（ｂ）は正面図、（ｃ）は平面図、（ｄ）は左側面図、（ｅ）は横断面図である。
【図７】バーの裏当て材１５の構造を示す。（a）は底面図、（ｂ）は正面図、（ｃ）は平面図、（ｄ）は左側面図、（ｅ）は横断面図である。
【図８】本考案第２実施例にかかる調整具２０の使用状態を示す斜視図であり、調整具２０の着用前である。
【図９】本考案第２実施例にかかる調整具２０の使用状態を示す斜視図であり、調整具２０の着用後である。
【図１０】ボタン２２とボタン穴２３の構造を示しており、（ａ）は平面図、（ｂ）は正面図、（ｃ）は左側面図、（ｄ）は背面図である。
【符号の説明】
【００３４】
１     延長具
２     ズボン本体
３     ウエストバンド
４     本来のホック
５     本来のバー
６     ボタン
９     延長布片
１０   ボタン穴
１１   布片
１２   ホック
１２１ 係合部
１２２ 後端
１２３ 左右壁
１２４ 爪
１３   バー
１３１ 係合部
１３２ 壁
１３３ 爪部
１４   裏当て材
１４１ 自由端部
１４２ 閉鎖部
１５   裏当て材
１５１ 自由端部
１５２ 閉鎖部
２０   延長具
２１   布片
２２   ボタン
２３   ボタン穴
２４   長手方向中央線
【図１】
0003128333.tif 000003
【図２】
0003128333.tif 000004
【図３】
0003128333.tif 000005
【図４】
0003128333.tif 000006
【図５】
0003128333.tif 000007
【図６】
0003128333.tif 000008
【図７】
0003128333.tif 000009
【図８】
0003128333.tif 000010
【図９】
0003128333.tif 000011
【図１０】
0003128333.tif 000012